(57)【要約】      （修正有）【課題】過酷な環境においてのランプの耐久性を向上させた冷陰極蛍光ランプを提供する。【解決手段】ポリカーボネート製のランプカバー２２の内周壁と冷陰極蛍光管の外周壁との間に隙間を確保して、Ｕ字形状の冷陰極蛍光管２３を筒状のランプカバー内に収容すると共に、冷陰極蛍光管の電極線に接続したランプピン２８をランプカバーの口金２４から突設し、隙間の空気を熱媒体として、冷陰極蛍光管からの部分的な発熱を熱媒体によりランプ全体に行き渡らせることが可能な程度に冷陰極蛍光管外径に対するランプカバー内径の寸法を設定する。ランプカバーの表面にその光拡散性能と機械的性能および物理的性能を向上させるためのアクリル樹脂とイソシアネート化合成分の２液性塗料によるコーティング層を施す。【選択図】図１
0003168737.tif 000002
【実用新案登録請求の範囲】
【請求項１】
ポリカーボネート製のランプカバーの内周壁と冷陰極蛍光管の外周壁との間に隙間を確保して、Ｕ字形状の冷陰極蛍光管を筒状のランプカバー内に収容すると共に、冷陰極蛍光管の電極線に接続したランプピンをランプカバーの口金から突設し、上記の隙間の空気を熱媒体として、冷陰極蛍光管からの部分的な発熱を熱媒体によりランプ全体に行き渡らせることが可能な程度に冷陰極蛍光管外径に対するランプカバー内径の寸法を設定した冷陰極蛍光ランプにおいて、ランプカバーの表面にはその光拡散性能と機械的性能および物理的性能を向上させるための樹脂系塗料によるコーティング層を施したことを特徴とする冷陰極蛍光ランプ。
【請求項２】
ランプカバーの表面に施されるコーティング層はアクリル樹脂とイソシアネート化合成分の２液性塗料によるコーティング層である請求項１記載の冷陰極蛍光ランプ。
【考案の詳細な説明】
【技術分野】
【０００１】
本願考案は冷陰極蛍光管を内蔵したランプに関し、より詳細には過酷な環境においてのランプの耐久性の向上を企図した冷陰極蛍光ランプに関する。
【背景技術】
【０００２】
冷陰極蛍光管は電極にフィラメントを有しないので、非常に管径が細いものが可能となるという特長を有する。また、点滅点灯に強いために寿命も長く、さらに、構造や点灯回路の構成が比較的簡単なので低コストで済むという特長を有する。そこで、収容スペースが限られており、購買者において交換をすることを前提としない液晶ディスプレーのバックライトなどに多用されている。一方、後記する理由から一般の照明器具用としては普及していないが、透過性を有する筐体内に光源を配した建築物内の誘導灯や電飾看板においては、光源として冷陰極蛍光管が用いられている。
【０００３】
一般的に冷陰極蛍光管の被装着側装置への装着は、購買者において自ら交換をすることを前提としていないので、ランプの両端の電極線を電源側の導体に半田付けすることによって行っている。
【０００４】
ところで、冷陰極ランプは従来の熱陰極蛍光灯（以下、単に「蛍光灯」と略称する。）に比べ、低温では輝度や寿命が減少する特性を有し、特に屋外用の器具に使用する場合においては外気温の低下により輝度が低下し、十分な照明効果を得られないことがある。また、寿命に関しては、零下でなくとも、周囲温度が１０℃以下になると寿命が極端に短くなる。その原因として、(1) 短寿命については連続的に低温雰囲気で点灯すると、ランプ内に封入されたＨｇ（約２．０〜３．０ｍｇ）の酸化が徐々に進み、Ｈｇ本来の特性が得られなくなりランプ輝度が１０％以下（希ガス放電）に低下すること、(2) チラツキについては、低温雰囲気下ではランプの管壁温度が自己発熱で上昇しないため、封入したＨｇの蒸気圧も上昇せず放電が不安定になることが挙げられる。この場合、冷陰極蛍光管の低温下での性能低下を防止するために低温時動作保証回路を付加する発明や、ヒーターを用いる発明が提案されているが、構造が複雑となり、コストも嵩む問題があった。
【０００５】
また、例えば液晶ディスプレーのように、工場や作業場で装着、交換される光源に冷陰極蛍光管を使用する場合は前記の装着構造で何らの不都合は生じないが、現場での施行や交換作業が多い屋外用の誘導灯や電飾看板の光源として冷陰極蛍光管を使用する場合はこのような装着構造では不都合が生じる。すなわち、半田付けを介することにより蛍光管をワンタッチで装着、交換することができず、現場での作業効率を著しく損なう。また、冷陰極蛍光管は直径が１ｃｍにも満たないガラス管からなるものが多く、長尺のものの場合には装着、交換作業にあたって折損しないように十分な注意を払わないとならず、やはり現場での作業効率を著しく損なった。
【０００６】
以上の問題点を解決する発明として、ポリカーボネート製のランプカバーの内周壁と冷陰極蛍光管の外周壁との間に隙間を確保して、Ｕ字形状の冷陰極蛍光管を筒状のランプカバー内に収容すると共に、冷陰極蛍光管の電極線に接続したランプピンをランプカバーの口金から突設し、上記の隙間の空気を熱媒体として、冷陰極蛍光管からの部分的な発熱を熱媒体によりランプ全体に行き渡らせることが可能な程度に冷陰極蛍光管外径に対するランプカバー内径の寸法を設定した冷陰極蛍光ランプが本願出願人により提案されている（特許文献１）。
【先行技術文献】
【特許文献】
【０００７】
【特許文献１】特開２００８−２１０８０４
【考案の概要】
【考案が解決しようとする課題】
【０００８】
この考案の冷陰極蛍光ランプは前記の公知発明の冷陰極蛍光ランプの過酷な環境においてのランプの耐久性の向上を企図したものである。
【課題を解決するための手段】
【０００９】
すなわち、この考案の冷陰極蛍光ランプはポリカーボネート製のランプカバーの内周壁と冷陰極蛍光管の外周壁との間に隙間を確保して、Ｕ字形状の冷陰極蛍光管を筒状のランプカバー内に収容すると共に、冷陰極蛍光管の電極線に接続したランプピンをランプカバーの口金から突設し、上記の隙間の空気を熱媒体として、冷陰極蛍光管からの部分的な発熱を熱媒体によりランプ全体に行き渡らせることが可能な程度に冷陰極蛍光管外径に対するランプカバー内径の寸法を設定した冷陰極蛍光ランプにおいて、ランプカバーの表面にはその光拡散性能と機械的性能および物理的性能を向上させるための樹脂系塗料によるコーティング層を施したことを特徴とする。
【考案の効果】
【００１０】
この考案によれば、冷陰極蛍光管を封入したランプカバー内の空気を熱媒体として、冷陰極蛍光管の陰極付近の部分的な発熱を熱媒体によりランプ全体に行き渡らせることにより冷陰極蛍光管の表面温度が隅々まで高まるので、外気温が低下した場合でもランプカバー内の雰囲気温度を１０℃以上に保つことが可能となり、冷陰極蛍光管の表面温度は外気温と同じようには低下せず、従来の蛍光灯と同じ使用温度範囲で輝度の低下もなく長寿命を実現する。
【００１１】
そして、ランプカバーの表面に機械的性能および物理的性能を向上させるための樹脂系塗料によるコーティング層を施しているので、コーティング層によりランプカバーの断熱性能が高まり、外気温が低下した場合でも冷陰極蛍光管からの部分的な発熱がランプカバー表面から発散することが防止され、前記の作用の一層の向上が図られる。そして、コーティング層は耐油・耐薬品・耐候性などの物理的性能を向上させるために作用し、冷陰極蛍光ランプを過酷な環境において使用する場合の耐久性の向上が図られる。また、ランプカバーの機械的性能すなわち剛性を高めてランプ全体の強度を高めている。
【００１２】
一方、ランプカバーの表裏面または表面または裏面に施されるコーティング層をその光拡散性能を向上させる作用を有するものとしている。
【００１３】
よって、この考案においては樹脂系塗料によるコーティング層は単に耐久性や剛性を高めるために作用するに止まらず、ランプの光学性能を高めるためにも作用するという複合的な作用を実現している。すなわち、ランプカバーの表面においては光拡散性能を向上させることによる照明効率の向上作用を生じさせている。
【図面の簡単な説明】
【００１４】
【図１】この考案の冷陰極蛍光ランプの分解斜視図。
【考案を実施するための形態】
【００１５】
図１はこの考案の冷陰極蛍光ランプ２０の実施例を示す図である。図中符号２２はランプカバーであり、内部にＵ字形状の冷陰極蛍光管２３が収容される。図中符号２４は上記の冷陰極蛍光管２３をランプカバー２０内に保持するための口金であり、合成樹脂により構成される。上記口金の表側にはランプソケットに挿入して導通するためのランプピン２８、２８が突設される。なお、反対側の口金２４のランプピンはソケットに装着するために機能するダミーである。
【００１６】
前記のランプカバー２２はポリカーボネートからなる円筒形のものである。この場合、ランプカバー２２内に冷陰極蛍光管２３を収容するに際してはその内周壁と蛍光管外周壁との間に適度の隙間を設けることが必要となる。この隙間はランプカバーと蛍光管外周壁との間に空気を確保するためのものである。この空気は熱媒体として作用し、冷陰極蛍光管からの部分的な発熱を冷陰極蛍光ランプ全体に行き渡らせ、冷陰極蛍光管の表面温度を隅々まで高めるためのものである。よって、隙間が狭くて空気の量が少なすぎても、逆に隙間が広くて空気の量が大すぎても熱媒体として機能しないので、熱媒体として機能するようにランプ外径に対するランプカバー内径の寸法を設定しなければならない。
【００１７】
以上の構成よりなる冷陰極蛍光ランプのランプカバー２２の表面にはその光拡散性能と機械的性能および物理的性能を向上させるためのコーティング層が施され、ここではアクリル樹脂とイソシアネート化合成分の２液性塗料によるコーティング層としている。
【符号の説明】
【００１８】
２２      ランプカバー
２３      冷陰極蛍光管
２４      口金
【図１】
0003168737.tif 000003
【手続補正書】
【提出日】平成23年4月18日(2011.4.18)
【手続補正１】
【補正対象書類名】実用新案登録請求の範囲
【補正対象項目名】全文
【補正方法】変更
【補正の内容】
【実用新案登録請求の範囲】
【請求項１】
ポリカーボネート製のランプカバーの内周壁と冷陰極蛍光管の外周壁との間に隙間を確保して、Ｕ字形状の冷陰極蛍光管を筒状のランプカバー内に収容すると共に、冷陰極蛍光管の電極線に接続したランプピンをランプカバーの口金から突設し、上記の隙間の空気を熱媒体として、冷陰極蛍光管からの部分的な発熱を熱媒体によりランプ全体に行き渡らせることが可能な程度に冷陰極蛍光管外径に対するランプカバー内径の寸法を設定した冷陰極蛍光ランプにおいて、ランプカバーの表面にはその光拡散性能と機械的性能および物理的性能を向上させるためにアクリル樹脂とイソシアネート化合成分の２液性塗料によるコーティング層を施したことを特徴とする冷陰極蛍光ランプ。